(57)【要約】      （修正有）【課題】頭部装着型拡大鏡装置を提供する。【解決手段】帽子型本体と、電池ケース２０と、灯具３０と、枢接単元４０と、を備える。電池ケース２０は収容溝２１１と、枢支台滑り溝２１４と、枢支台枢支孔２１５とを含む。灯具３０は枢軸収容溝と、枢軸滑り溝と、枢軸枢支孔とを含む。枢支単元４０は枢支台４１と、枢軸４２とを含む。枢支台は枢支台本体４１１と２つの電池ケース枢接柱４１２とを有し、電池ケース枢接柱端面の上半部は平面４１４を形成し、端面の下半部は、下向き縮小テーパー面４１６であり、枢支台を枢支台収容溝に収容し、電池ケース枢接柱を枢支台の枢支孔に通しており、枢軸は軸胴体４２１と、軸頭部４２２と、２つの灯具枢接柱４２３とを含む。灯具枢接柱端面の上半部は平面４２４を形成し、端面の下半部は下向き拡大テーパー面４２５を形成し、灯具は枢軸に対して枢転できる。これにより、組立が便利のほか、部品の抜け出しを防げ、照明角度がより良い幅広い効果を有する。【選択図】図４
0003203542.tif 000002
【実用新案登録請求の範囲】
【請求項１】
頭部装着型拡大鏡装置であって、
鏡フードと、前記鏡フードの後部端に枢接する調整式頭部バンドと、前記鏡フードの前部端に取り付ける第１拡大鏡組と、を含む、帽子型本体と、
前記鏡フードの上面に取り付けていて、枢支台収容溝を有し、前記枢支台収容溝の２つの対向する側壁にそれぞれ上から下に延在する枢支台滑り溝を開けられ、前記枢支台滑り溝底壁の一側に枢支台枢支孔を開ける、電池ケースと、
ランプハウジングと、前記ランプハウジングの内部に取り付ける少なくとも一つの発光体を有し、前記ランプハウジングの底面に枢軸収容溝を開け、前記枢軸収容溝の２つの対向する側壁にそれぞれ下から上に延在する枢軸滑り溝を開け、前記枢軸滑り溝の一側に枢軸枢支孔を開ける、灯具と、
枢支台と、枢軸とを有し、前記枢支台は枢支台本体と、前記枢支台本体２つの対向側から外部に突き出す２つの電池ケース枢接柱とを有し、前記枢支台本体の上面に枢軸孔を有し、前記電池ケース枢接柱端面の上半部は平面を形成し、端面の下半部は外径が下方へ次第に縮小する下向き縮小テーパー面を有し、前記枢支台を前記電池ケースの前記枢支台収容溝に取り付けていて、かつ前記電池ケース枢接柱を前記枢接柱の枢支孔に通すことによって、前記枢支台が前記枢支台収容溝にて枢転でき、前記枢軸は軸胴体と、一体して前記軸胴体の上部につなぐ軸頭部と、一体してそれぞれ前記軸頭２つの対向側から外部に突き出して形成する灯具枢接柱とを有し、前記枢軸を回動自在にて、前記枢支台と枢接し、各前記灯具枢接柱端面の上半部は平面を形成し、端面の下半部は外径が下方へ次第に拡大する下向き拡大テーパー面であり、前記軸頭部を前記灯具の枢軸収容溝に取り付けて、かつ前記灯具枢接柱を前記枢軸枢支孔に通すことによって、前記灯具が前記枢軸に対して枢転する枢接単元と、を含むことを特徴とする、頭部装着型拡大鏡装置。
【請求項２】
前記調整式頭部バンドと、前記鏡フードとの間の角度が調節可能であることを特徴とする、請求項１に記載の頭部装着型拡大鏡装置。
【請求項３】
前記調整式頭部バンドの巻き径は節可能であることを特徴とする、請求項１に記載の頭部装着型拡大鏡装置。
【請求項４】
前記帽子型本体は、前記鏡フードの内部に枢設して、上にめくる位置から下向きに折り畳む位置との間で往復し揺動することができる第２拡大鏡組をさらに有し、前記第２拡大鏡組が下向き折りたたみ位置にいるときは、第１拡大鏡組と重なることを特徴とする、請求項１に記載の頭部装着型拡大鏡装置。
【請求項５】
前記電池ケースは、ケース体と、電池ホルダーと、スイッチとを含む、前記ケース体を前記帽子型本体の前記鏡フードの上面に固設し、前記ケース体の上面に収容溝を有し、前記電池ケースに若干数の電池を収容することができ、前記電池ホルダーを取り外し自在にて前記ケース体の前記収容溝に取り付けられ、前記ケースカーバーを取り外しにて前記ケース体に被せて、前記収容溝を閉止しておき、前記スイッチを前記ケース体に取り付け、開放位置と閉止位置にて切り替えることができ、開放位置に切り替えたとき、前記電池の電気が前記灯具に導通され、前記スイッチを閉止位置に切り替えられたとき、前記電池の電気が遮断され、前記灯具に導通されない、前記枢支台は前記ケース体上面が先端に隣接する位置に開けられていることを特徴とする、請求項１に記載の頭部装着型拡大鏡装置。
【請求項６】
そのうち、前記枢支台収容溝の底壁は少なくとも一つの固定突起ブロックを有し、前記枢支台本体の底面は円弧面を形成し、前記円弧面は若干数の平行に配列した固定溝部を有することを特徴とする、請求項１に記載の頭部装着型拡大鏡装置。
【請求項７】
そのうち、前記枢支台滑り溝の溝壁は溝口の位置から溝の底部へ次第に縮小するテーパーを形成し、前記２つの枢軸滑り溝の間に溝口が広く溝の底部が狭い形状を形成することを特徴とする、請求項１に記載の頭部装着型拡大鏡装置。
【請求項８】
そのうち、前記枢軸滑り溝の溝壁は溝口の位置から溝の底部へ次第に縮小するテーパーを形成し、前記２つの枢軸滑り溝の間に溝口が広く溝の底部が狭い形状を形成することを特徴とする、請求項１に記載の頭部装着型拡大鏡装置。
【考案の詳細な説明】
【技術分野】
【０００１】
本考案は頭部装着型拡大鏡と照明機能装置に関し、詳しく言えば頭装着型拡大鏡装置に関する。
【背景技術】
【０００２】
頭部装着型拡大鏡は主に、精密製造産業または微小な製品を扱う工場で使用されている。
【先行技術文献】
【特許文献】
【０００３】
【特許文献１】台湾特許公告第５７０１９６号
【考案の概要】
【考案が解決しようとする課題】
【０００４】
そのうち、特許文献１によれば、照明装置を頭部装着型拡大鏡の帽子形本体に取り付けて、照明機能を提供できることが開示されている。前述特許の照明装置は、左、右、下向き、上向きに動かせることはできるが、しかし、回動角度は小さく不足しており、改善の必要がある。さらに、前述特許の構造によれば、組立の手順は滑らかでないため、製造や組立速度が遅いことから、大量に生産することはできない。また、前述特許は、組み立てた後に、照明装置を常に左、右、下向き、上向きに動かせる必要があり、部品接続が緩んで抜け落とすことがしばしば発生する。
【課題を解決するための手段】
【０００５】
前述した先行技術に係る公知の頭部装着型拡大鏡は照明角度の幅不足、組立手順は滑らかでない、部品接続が緩んで抜け落とす等の課題改善を図るため、本考案より照明灯を有する頭部装着型拡大鏡装置を提供する。帽子型本体は鏡フードと、係る鏡フードの後部端につなぐ調整式頭部バンドと、係る鏡フードの前部端に取り付ける第１拡大鏡組とを含む。電池ケースを係る鏡フードの上面に取り付け、係る電池ケースに枢支台収容溝を有し、係る枢支台収容溝の対向する２つの側壁はそれぞれ上から下に延在する枢支台滑り溝を開けられ、係る枢支台滑り溝底壁の一側に枢支台枢支孔を開けられている。灯具はランプハウジングと、係るランプハウジング内部に取り付ける少なくとも一つの発光体とを有し、係るランプハウジングの底面に枢軸収容溝を開けられ、係る枢軸収容溝に２つの対向する側壁はそれぞれ下から上に延在する枢軸滑り溝を開け、係る枢軸滑り溝底壁の一側に枢軸枢支孔を開ける。枢接単元は枢支台と枢軸とを有し、係る枢支台は枢支台本体と、係る枢支台本体の２つの側壁から外部に突き出す電子ケース枢接柱とを有し、係る枢支台本体の上面は枢軸孔を有し、それぞれの電池ケース枢接柱端面の上半部は平面を形成し、端面の下半部は外径が下方へ次第に縮小する下向き縮小テーパー面を形成し、係る枢支台を係るケース体の枢支台収容溝に取り付けていて、かつ係る電池ケース枢接柱を係る枢支台枢支孔に通すことによって、係る枢支台を係る枢支台収容溝にて枢転することができ、係る枢軸は軸本体と、一体型に係る軸胴部の上部につなぐ軸頭部と、一体してそれぞれ係る軸頭部の２つの対向側から外部に突き出す形成する灯具枢接柱を有し、係る軸胴体の底部端を係る枢支台の枢軸孔に通すことによって、枢軸を回動自在にて係る枢支台と枢接させる。それぞれの灯具枢接柱端面の上半部は平面を形成し、端面の下半部はその外径が下方へ次第に拡大する下向き拡大テーパー面を形成する。係る軸頭部を係る灯具の枢軸収容溝に取り付け、係る灯具枢接柱を係る枢軸の枢支孔に通すことによって、係る灯具が係る枢軸に対して枢転できる。これにより、組立便利、部品の抜け落としを防げると共に、より幅広い照明角が得られる効果を有する。
【考案の効果】
【０００６】
前述した先行技術に係る公知の頭部装着型拡大鏡は照明角度の幅不足、組立手順は滑らかでない、部品接続が緩んで抜け落とす等の課題改善を図るため、本考案より照明灯を有する頭部装着型拡大鏡装置を提供する。帽子型本体は鏡フードと、係る鏡フードの後部端につなぐ調整式頭部バンドと、係る鏡フードの前部端に取り付ける第１拡大鏡組とを含む。電池ケースを係る鏡フードの上面に取り付け、係る電池ケースに枢支台収容溝を有し、係る枢支台収容溝の対向する２つの側壁はそれぞれ上から下に延在する枢支台滑り溝を開けられ、係る枢支台滑り溝底壁の一側に枢支台枢支孔を開けられている。灯具はランプハウジングと、係るランプハウジング内部に取り付ける少なくとも一つの発光体とを有し、係るランプハウジングの底面に枢軸収容溝を開けられ、係る枢軸収容溝に２つの対向する側壁はそれぞれ下から上に延在する枢軸滑り溝を開け、係る枢軸滑り溝底壁の一側に枢軸枢支孔を開ける。枢接単元は枢支台と枢軸とを有し、係る枢支台は枢支台本体と、係る枢支台本体の２つの側壁から外部に突き出す電子ケース枢接柱とを有し、係る枢支台本体の上面は枢軸孔を有し、それぞれの電池ケース枢接柱端面の上半部は平面を形成し、端面の下半部は外径が下方へ次第に縮小する下向き縮小テーパー面を形成し、係る枢支台を係るケース体の枢支台収容溝に取り付けていて、かつ係る電池ケース枢接柱を係る枢支台枢支孔に通すことによって、係る枢支台を係る枢支台収容溝にて枢転することができ、係る枢軸は軸本体と、一体型に係る軸胴部の上部につなぐ軸頭部と、一体してそれぞれ係る軸頭部の２つの対向側から外部に突き出す形成する灯具枢接柱を有し、係る軸胴体の底部端を係る枢支台の枢軸孔に通すことによって、枢軸を回動自在にて係る枢支台と枢接させる。それぞれの灯具枢接柱端面の上半部は平面を形成し、端面の下半部はその外径が下方へ次第に拡大する下向き拡大テーパー面を形成する。係る軸頭部を係る灯具の枢軸収容溝に取り付け、係る灯具枢接柱を係る枢軸の枢支孔に通すことによって、係る灯具が係る枢軸に対して枢転できる。これにより、組立便利、部品の抜け落としを防げると共に、より幅広い照明角が得られる効果を有する。
【図面の簡単な説明】
【０００７】
【図１】本考案の一好ましい実施例の立体組み合わせ図である。
【図２】本考案図１に示す好ましい実施例の側面概略図（その１）である。
【図３】本考案図１に示す好ましい実施例の側面概略図（その２）である。
【図４】本考案図１に示す好ましい実施例の局所構成品の立体分解図（その１）である。
【図５】本考案図１に示す好ましい実施例の局所構成品の断面分解図である。
【図６】本考案図１に示す好ましい実施例の局所構成品の立体組み合わせ図（その１）である。
【図７】本考案図６の７−７切り抜き栓を沿った断面図である。
【図８】本考案図１に示す好ましい実施例の局所拡大の断面図である。
【図９】本考案図１に示す好ましい実施例の動作を示す図（その１）である。
【図１０】本考案図１に示す好ましい実施例の動作を示す図（その２）である。
【考案を実施するための形態】
【０００８】
審査委員の方々に本考案の特徴と特長のさらなる理解を図るため、以下に好ましい実施例と図面とを合わせて説明する。
【実施例】
【０００９】
図１ないし１０、本考案の一好ましい実施例による頭装着型拡大鏡装置１００を参照する。主に帽子型本体體１０と、電池ケース２０と、灯具３０と、枢接単元４０とを含む。そのうち、
【００１０】
図１ないし図３を参照する。係る帽子型本体１０を使用者の頭部に装着することができ、係る帽子型本体１０は鏡フード１１と、調整式頭部バンド１２と、第１拡大鏡組１３と、第２拡大鏡組１４とを含む。係る調整式頭部バンド１２を係る鏡フード１１の後部端に枢接しておき、係る頭部バンド１２と、係る鏡フード１１との間の角度を調節すると共に、係る調整式頭部バンド１２の巻き数を調整して、異なる頭囲の使用者の装着に提供することができる。係る第１拡大鏡１３を係る鏡フード１１の前部端に固設し、係る第２拡大鏡組１４を係る鏡フード１１の内部に枢設して、上にめくる位置（図２に示す）から下に折り畳む位置（図３に示す）の間で往復して揺動することができる。第２拡大鏡組１４が下に折りたたみ位置にいるときは、係る第１拡大鏡組１３と重なっていて、拡大倍率を大きくすることができる。
【００１１】
引き続き、図１と、図４ないし図８を参照する。電池ケース２０を帽子型本体１０の鏡フード１１上面に固設し、係る電池ケース２０はケース体２１と、電池ホルダー２２と、ケースカーバー２３と、スイッチ２４とを含む、係るケース体２１を帽子型本体１０の鏡フード１１上面に固設し、係るケース体２１の上面に収容溝２１１を開け、係るケース体２１上面が先端位置の隣接場所に枢支台収容溝２１２を開け、係る枢支台収容溝２１２の底壁に２つの固定突起ブロック２１３を有し、係る枢支台収容溝２１２の２つの側壁にそれぞれ上から下に延在する枢支台滑り溝２１４を設け、係る枢支台滑り溝２１４底壁の一側に枢支台枢支孔２１５を開けられ、係る枢支台滑り溝２１４溝部の壁は溝口の位置から溝の底部へ次第に内側に縮小してテーパー状を形成し、２つの枢支台滑り溝２１４の間は溝口が広く、溝の底部が狭い態様を形成する。電池ホルダー２２に若干数の電池（図示しない）を収容することができ、係る電池ホルダー２２は取り外し自在にて係るケース体２１の収容溝２１１に取り付けることができ、係るケースカーバー２３は取り外し自在にて係るケース体２１を被せ、収容溝２１１を封止しておく、スイッチ２４をケース体２１に取り付け、開放位置と閉止位置で切り替えることができ、開放位置に切り替えられたときは、電池の電気を係る灯具３０に導通させ、閉止位置に切り替えられたときは、電気の電気を遮断し、係る灯具３０に導通されない。
【００１２】
引き続き、図４ないし図８を参照する。灯具３０はランプハウジング３１と、係るランプハウジング３１の内部に取り付ける発光体３２を有し、係るランプハウジング３１の底面に枢軸収容溝３１１を設け、係る枢軸収容溝３１１２つの対向側壁にそれぞれ下から上に延在する枢軸滑り溝３１２を開けられ、係る枢軸滑り溝３１２底壁の一側に枢軸枢支孔３１３を開け、係る枢軸滑り溝３１２の溝壁は溝口の位置から溝の底部へ次第に内側に縮小してテーパー状を形成して、２つの枢支台滑り溝３１２の間は溝口が広く、溝の底部が狭い態様を形成する。
【００１３】
引き続き、図４ないし８を参照する。枢接単元４０を電池ケース２０と、灯具３０との間に枢接していて、係る枢接単元４０は枢支台４１と、枢軸４２とを有し、係る枢支台４１は一体して仕上げられ、枢支台本体４１１と、２つの電池ケース枢接柱４１２とを有し、係る枢支台本体４１１の底面は円弧面４１３を形成し、係る円弧面４１３は若干数の平行に配列された固定溝部４１５を有し、係る枢支台本体４１１の上面は底面に貫通する枢軸の枢支孔４１７を有し、係る２つの電池ケース枢接柱４１２をそれぞれ一体して係る枢支台本体４１１２つの対向側から外部に突き出して形成され、各電池ケース枢接柱４１２端面の上半部は平面４１４を形成し、端面の下半部は外径が下方へ次第に縮小するテーパー面４１６を形成し、係る枢支台４１を係るケース体２１の枢支台収容溝２１２に収容していて、かつ係る電池ケース枢接柱４１２を係る枢支台枢支孔２１５に通して、プラスチック部材の弾力によって挟み込み、枢支台４１を枢支台収容溝２１２の内部に必要な証明角度の枢転でき、枢軸４２を一体して仕上げられ、軸頭部４２１と、一体して係る軸胴体４２１の上部につなぐ軸頭部４２２と、２つのそれぞれ一体して係る軸頭部４２２２つの対向側から外部に突き出して延在し形成する灯具枢接柱４２３とを有する。軸胴体４２１の底部端を枢支台４１の枢支孔４１７に通すことによって、枢軸４２を回動自在にて枢支台４１と枢接し、各灯具枢接柱４２３端面の上半部は平面４２４を形成し、端面の下半部は外径が下方へ次第に拡大する下向き拡大テーパー面４２５を形成し、係る軸頭部４２２を係る灯具３０の枢軸収容溝３１１に収容していて、かつ係る灯具枢接柱４２３を係る枢軸枢支孔３１３に通すことによって、係る灯具３０は係る枢軸４２に対して枢転することができる。
【００１４】
以上は本考案の一好ましい実施例による頭装着型拡大鏡装置１００各部構成品及びその組立方法を紹介している。以下は、引き続き使用の特長を説明する。
【００１５】
まず、図８に示すとおり、枢接単元４０の枢支台４１と電池ケース２０とを枢接したいときは、２つの電池ケース枢接柱４１２を枢支台滑り溝２１４に滑り込み、枢支台枢支孔２１５の位置に滑り込んだ後に通しておき、係る２つの電池ケース枢接柱４１２端面の下半部は外径が下方へ次第に縮小する下向き縮小テーパー面４１６を形成しているため、枢支台滑り溝２１４をスムーズに滑り込ませることができ、組立の難しさを解消し、組立をスムーズに行え、大量生産できる。さらに、各枢支台滑り溝２１４の溝壁は溝口の位置から溝の底部へ次第に縮小してテーパー状を形成して、２つの枢支台滑り溝２１４の間に溝口は広く、溝の底部は狭い態様を形成して、枢軸４２に密着の接触面を与えられ、係る電池ケース枢接柱４１２を効率良く、かつスムーズに滑りこむことができ、組立の順調性が向上される。
【００１６】
このほか、図８に示すとおり、枢接単元４０の枢軸４２と灯具３０とを枢接したいときは、２つの灯具４２３を枢軸滑り溝３１２に滑り込み、枢軸枢支孔３１３の位置に滑り込んだ後に通しておき、係る２つの灯具枢接柱４２３端面の下半部は外径が下方へ次第に拡大する下向き拡大テーパー面４２５を形成しているため、枢軸滑り溝３１２をスムーズに滑り込ませることができ、組立の難しさを解消し、組立をスムーズに行え、大量生産ができる。さらに、各枢軸滑り溝３１２の溝壁は溝口の位置から溝の底部へ次第に縮小しテーパー状を形成して、２つの枢軸滑り溝３１２の間に溝口は広く、溝の底部は狭い態様を形成して、係る灯具枢接柱４２３を効率良く、かつスムーズに滑りこむことができ、組立の順調性が向上される。
【００１７】
さらに、本考案の灯具３０は、枢軸４２と、枢支台４１との間の回動によって左右に回動することができるほか、係る枢支台４１の回動によって灯具３０の上下揺動（図９と、図１０に示す）できるほか、係る灯具３０と係る枢軸４２との間で上下揺動（図９と、図１０に示す）ことも可能なため、上下の照明範囲をより広くさせ、本考案の適用性をより良くできる。
【００１８】
以上に説明したものは、本考案の好ましい実施例にすぎず、本考案の実施範囲に制限を加えるものではない。よって、当業者が本考案に基づいてなされた均等変化は、なお本考案の請求範囲に含む。
【符号の説明】
【００１９】
１００  頭部装着型拡大鏡装置
１０    帽子型本体
１１    鏡フード
１２    調整式頭部バンド
１３    第１拡大鏡組
１４    第２拡大鏡組
２０    電池ケース
２１    箱体
２１１  収容溝
２１２  枢支台収容溝
２１３  固定突起ブロック
２１４  枢支台滑り溝
２１５  枢支台枢支孔
２２    電池ホルダー
２３    ケースカーバー
２４    スイッチ
３０    灯具
３１    ランプハウジング
３１１  枢軸収容溝
３１２  枢軸滑り溝
３１３  枢軸枢支孔
３２    発光体
４０    枢接単元
４１    枢支台
４１１  枢支台本体
４１３  円弧面
４１５  固定溝部
４１７  枢軸孔
４１２  電池ケース枢接柱
４１４  平面
４１６  下向き縮小テーパー面
４２    枢軸
４２１  軸胴体
４２２  軸頭部
４２３  灯具枢接柱
４２４  平面
４２５  下向き拡大テーパー面
【図１】
0003203542.tif 000003
【図２】
0003203542.tif 000004
【図３】
0003203542.tif 000005
【図４】
0003203542.tif 000006
【図５】
0003203542.tif 000007
【図６】
0003203542.tif 000008
【図７】
0003203542.tif 000009
【図８】
0003203542.tif 000010
【図９】
0003203542.tif 000011
【図１０】
0003203542.tif 000012